(57)【特許請求の範囲】
【請求項１】
自動車内に設置される音声出力器であって、
怒声を発するための信号を発信する怒声信号発信手段と、
該怒声信号発信手段からの信号を受けて、自動車内に怒声を発する怒声出力手段と、
該怒声出力手段から発せられる怒声の回数を数えて告知する怒声回数告知手段とを備える
ことを特徴とする音声出力器。
【請求項２】
前記怒声信号発信手段は、利用者が操作可能なボタンを含むと共に、同ボタンが押されると怒声を発するための信号が発信される
ことを特徴とする請求項１に記載の音声出力器。
【請求項３】
怒声を録音する録音手段を備え、
該録音手段によって録音された怒声を、前記怒声信号発信手段からの信号を受けて前記怒声出力手段が発する
ことを特徴とする請求項１に記載の音声出力器。
【請求項４】
前記怒声出力手段から発せられる怒声の音量は、運転者のみに聞こえる程度の音量である
ことを特徴とする請求項１に記載の音声出力器。
【発明の詳細な説明】
【技術分野】
【０００１】
本発明は音声出力器に関する。詳しくは、自動車内に設置される音声出力器に係るものである。
【背景技術】
【０００２】
自動車は、人間の生活において便利な道具であると同時に、自動車事故を引き起こしてしまう凶器となり得る。従って、自動車を運転するためには、法で定められた免許を有することが義務付けられているが、法を遵守しているか否かだけでは安全運転をしていることの証明にはなり得ない。
【０００３】
そこで、自動車事故が起きない交通法規が求められるが、法規をいくら厳しくしても、運転者が、安全運転よりも「早く移動したい」という気持ちを優先しがちであり、このような状況では自動車事故が減少するという方向は、なかなか望めないのが現状である。
【０００４】
また、自動車に乗って一旦運転を始めると、人格が変わる人もいると言われているが、これは、車内が密閉されて外部とのコミュニケーションが断たれてしまうことで、運転者自身が精神的に閉鎖的になるからであるとも言われているため、いくら交通法規の講習を繰り返しても、自動車の運転はできるが、運転の仕方や運転の良し悪しは運転者本人のマナーに依存するため、自動車事故は簡単に減少しない。
【０００５】
そこで、自分が運転している自動車外の他者との間で、コミュニケーションをとることができれば、閉鎖的な感情が和らぎ、他者に対する配慮という余裕が生じ、これが自動車事故の軽減に役立つと思われ、従来、このようなコミュニケーション手段がいくつか提案されている。
【０００６】
例えば、図３は従来の自動車用メッセージグッズを説明する概略図であるが、特許文献１には、図３に示すような自動車用メッセージグッズが記載されている。即ち特許文献１には、適当な形状の発光ボード１０１を設け、発光体１０２でメッセージを表すようにし、発光ボード１０１よりコード１０３を設け、コード１０３上の適当な部分にスイッチ１０４を設け、コード１０３の末端にカープラグ１０５を設け、発光ボード１０１の適当な箇所に適当な釣り部１０６を設け、吸盤１０７と結合される旨記載されている。
【０００７】
【特許文献１】特開平１１−３０９６７号公報
【発明の開示】
【発明が解決しようとする課題】
【０００８】
しかしながら、例えば高速道路の走行車線を運転している時に、追い越し車線を一台の車が通り過ぎたかと思ったら、ウインカーをあげてすぐ目の前に入り込まれた場合、目の前に入り込んだ車の運転者に対して、従来の自動車用メッセージグッズを用いてなんらかのメッセージを送ろうにも、目の前に入り込んだ車の運転者は、こちら側を見ていないためメッセージが伝わりにくく、ストレスが溜まってしまっていた。
【０００９】
本発明は、以上の点に鑑みて創案されたものであり、自動車を運転する者のストレスを解消できる音声出力器を提供することを目的とする。
【課題を解決するための手段】
【００１０】
上記の目的を達成するために、本発明の音声出力器は、自動車内に設置される音声出力器であって、怒声を発するための信号を発信する怒声信号発信手段と、該怒声信号発信手段からの信号を受けて、自動車内に怒声を発する怒声出力手段とを備えることを特徴とする。
【００１１】
ここで、怒声信号発信手段からの信号を受けて、自動車内に怒声を発する怒声出力手段によって、自動車の運転者が運転中にストレスを感じて叫びたくなった場合でも、代わりに怒声を発してもらうことができる。
【００１２】
また、本発明の音声出力器において、怒声信号発信手段は、利用者が操作可能なボタンを含むと共に、ボタンが押されると怒声を発するための信号が発信される場合、ボタンを押すという単純な操作で代わりに怒声を発してもらうことができる。
【００１３】
また、本発明の音声出力器は、怒声を録音する録音手段を備え、録音手段によって録音された怒声を、怒声信号発信手段からの信号を受けて怒声出力手段が発する場合、様々な種類の怒声を録音して発声することができる。
【００１４】
また、本発明の音声出力器において、怒声出力手段から発せられる怒声の音量は、運転者のみに聞こえる程度の音量である場合、自動車の同乗者同士の会話等を邪魔することがない。
【００１５】
また、本発明の音声出力器は、怒声出力手段から発せられる怒声の回数を数えて告知する怒声回数告知手段を備える場合、運転者自身への反省を促すために怒声を発声させていれば何回反省しなければならい状況になったかを認識でき、更に運転者自身の反省を促すことができる。
【発明の効果】
【００１６】
本発明に係る音声出力器は、自動車を運転する者のストレスを解消できる。
【発明を実施するための最良の形態】
【００１７】
以下、本発明の実施の形態について図面を参照しながら説明し、本発明の理解に供する。
図１は、本発明を適用した音声出力器の一構成例を説明する概略図である。本発明の音声出力器１は、本体２と、怒声を発するための信号を発信する怒声信号発信手段３と、怒声信号発信手段３に接続されていると共に押されると怒声を発するための信号が発信される怒声ボタン４と、怒声信号発信手段３からの信号を受けて、自動車内に怒声例えば「ビヤッキヤロ」を発する怒声出力手段５と、怒声出力手段５から発せられる怒声を拡声するスピーカー６と、怒声を録音する録音手段７と、録音手段７に怒声を録音するための録音マイク８と、電源９と、怒声出力手段５から発せられる怒声の回数を数えて告知する怒声回数告知手段１０と、電源９に接続されていると共に自動車のシガレットライターソケットに差し込まれて電気を音声出力器１に供給するカープラグ１１とを備える。
【００１８】
ここで、録音手段７によって録音された怒声を、怒声信号発信手段３からの信号を受けて怒声出力手段５が発する。また、怒声出力手段５から発せられる怒声の音量は、運転者のみに聞こえる程度の音量である。
また、怒声回数告知手段１０の告知の方法としては、運転者に怒声の回数を告知できればどのような方法でもよく、例えば回数をデジタル表示したり、音声で回数を伝えたりしてもよい。
また、必ずしもシガレットライターソケットから電気を取らなくてもよく、例えば電池で本発明の音声出力器を作動させてもよい。
また、怒声ボタン４と音声出力器１の本体２とをコードで接続し、怒声ボタン４を、運転者が押しやすい場所例えばドア付近に面ファスナー等で取付けてもよい。
【００１９】
また、本発明の音声出力器が、怒声を発するための信号を発信する怒声信号発信手段と、怒声信号発信手段からの信号を受けて、自動車内に怒声を発する怒声出力手段とを備えていれば、必ずしも録音手段、録音マイク、怒声回数告知手段を備えていなくてもよいが、録音手段を備えていれば、様々な種類の怒声を録音して発声することができ、また、怒声回数告知手段を備えていれば、運転者自身への反省を促すために怒声を発声させている場合に、何回反省しなければならい状況になったかを認識でき、更に運転者自身の反省を促すことができるため、好ましい。
【００２０】
図２は、本発明を適用した音声出力器を自動車内に設置した様子を説明する概略図である。
図２に示すように、本発明の音声出力器１は、自動車１２内のダッシュボード１３上に設置され、シガレットライターソケット（図示せず。）にカープラグ１１を差し込んで電気を取る。
そして、例えば、自分が運転している自動車の前に、いきなり他の自動車が割り込んできた場合や、自分がある程度の法定速度を守って一般道を走行している時に、後ろから車間距離を短く取ってあおってくる他の自動車にウインカーをあげて道を譲っても他の自動車が何も合図せずに走り去って行った場合、本発明の音声出力器１の怒声ボタン４を押すと、音声出力器１から「ビヤッキヤロ」という怒声が自動車内に発せられ、その怒声を聞くことで怒りが和らぎ、また運転に集中できる。
また、狭い道路で対向車が来たので、少しでも広い所で一時停止して対向車を行かせてあげたにもかかわらず、相手の自動車の運転者は挨拶も何もなく走り去った場合でも、本発明の音声出力器１から発せられる「ビヤッキヤロ」を聞くことで怒りが和らぎ、また運転に集中できる。
また、ラジオを聴いていて、好きな野球チームが負けていたり、負けてしまったりした場合や、対向車の運転者が携帯電話を使いながら運転している様子を見た場合にも、本発明の音声出力器１から発せられる「ビヤッキヤロ」を聞くことで怒りが和らぎ、また運転に集中できる。
【００２１】
逆に、例えば、自分が運転していて一旦停止しなければならない場所で一旦停止しなかった場合、本発明の音声出力器１から発せられる「ビヤッキヤロ」を聞くことで反省し、また運転に集中できる。
【００２２】
以上のように、本発明の音声出力器は、自動車内に「ビヤッキヤロ」という怒声を発するので、自動車の運転者が運転中にストレスを感じて叫びたくなった場合でも、代わりに怒声を発してもらうことができるため、音声出力器から発せられる「ビヤッキヤロ」を聞くことで怒りが和らぎ、よって、運転者のストレスも解消して、また運転に集中できる。
【００２３】
また、本発明の音声出力器を自動車内のダッシュボードの上に設置するので、マナーの悪い運転者でも、他の自動車内のダッシュボード上の音声出力器が目に入ると、自分に対して押されるかもしれないと思い、気をつけながら運転するので、やさしい運転となり、また、思いやりも出てくる。
そして、相手が思いやりを持って運転していることを感じ取れば、ありがとうという感謝の気持ちを抱き、楽しい運転ができる。
【図面の簡単な説明】
【００２４】
【図１】本発明を適用した音声出力器の一構成例を説明する概略図である。
【図２】本発明を適用した音声出力器を自動車内に設置した様子を説明する概略図である。
【図３】従来の自動車用メッセージグッズを説明する概略図である。
【符号の説明】
【００２５】
１    音声出力器
２    本体
３    怒声信号発信手段
４    怒声ボタン
５    怒声出力手段
６    スピーカー
７    録音手段
８    録音マイク
９    電源
１０    怒声回数告知手段
１１    カープラグ
１２    自動車
１３    ダッシュボード
【図１】
0004560097.tif 000002
【図２】
0004560097.tif 000003
【図３】
0004560097.tif 000004